(57)【要約】【課題】組立時の作業性が向上するとともに、ラダーテープを必要な長さのみに設定することができるブラインド用ドラム装置を提供する。【解決手段】ドラムケース８４は、同一形状の一対のケース部品８６、８８が中央分割面を中心として反転して組み合わされることにより構成されており、各ケース部品８６、８８は、回転ドラム８２の軸部８２ｂを支持する軸受け部８６ｂ、８８ｂが形成され、該軸受け部には、相手方のケース部品の軸受け部に向って中央分割面から突出する支持部８６ｃ、８８ｃが形成される。【選択図】図３
2014029087.tif 000002
【特許請求の範囲】
【請求項１】
上部支持部材（２２ａ、１００）内に回転可能に配設される回転軸（２４）の回転に連動して回転する回転ドラム（８２）と、上部支持部材に固定されるとともに回転ドラムを回転可能に支持するドラムケース（８４）と、を備え、回転ドラムの回転によって多数のスラット（２６）を上下方向に支持するラダーテープ（２８）を傾動させてスラットの回転を行うブラインド用ドラム装置において、
ドラムケース（８４）は、同一形状の一対のケース部品（８６、８８）が鉛直方向に延びる中央分割面を中心として反転して組み合わされることにより構成されており、各ケース部品（８６、８８）には、回転ドラム（８２）の軸部（８２ｂ）を支持する軸受け部（８６ｂ、８８ｂ）が形成され、該軸受け部には、相手方のケース部品の軸受け部に向って中央分割面から突出する支持部（８６ｃ、８８ｃ）が形成されることを特徴とするブラインド用ドラム装置。
【請求項２】
各ケース部品（８６、８８）の軸受け部（８６ｂ、８８ｂ）には、相手方のケース部品の支持部を受け入れる凹部（８６ｄ、８８ｄ）が形成されることを特徴とする請求項１記載のブラインド用ドラム装置。
【請求項３】
各ケース部品（８６、８８）には、中央分割面から突出し、相手方のケース部品の支持部を下方から支持する抱持部（８６ｅ、８８ｅ）が形成されることを特徴とする請求項１または２記載のブラインド用ドラム装置。
【請求項４】
支持部（８６ｃ、８８ｃ）及び抱持部（８６ｅ、８８ｅ）は互いの接触面の横断面が同一曲率の円弧形状をなすことを特徴とする請求項３記載のブラインド用ドラム装置。
【発明の詳細な説明】
【技術分野】
【０００１】
本発明は、回転ドラムの回転によりラダーテープを傾動させるブラインド用ドラム装置に関する。
【背景技術】
【０００２】
このようなブラインド用ドラム装置としては、特許文献１に示されるブラインド内蔵複層ガラスにおいて適用されたものが知られている。これに示されるものは、ヘッドボックス内に回転可能に配設された水平回転軸に回転ドラムとしての巻回胴部が設けられ、その巻回胴部にラダーコードの上端が巻回された後、かしめ止めにより相対滑動不能に止着されている。水平回転軸の巻回胴部は、ラダーコードの位置において、ヘッドボックスに固定されているドラムケースとしての軸受けに回転自在に支承される。
【先行技術文献】
【特許文献】
【０００３】
【特許文献１】特公平４−２６０３４号公報
【発明の概要】
【発明が解決しようとする課題】
【０００４】
しかしながら、上記特許文献１のドラム装置では、軸受け、巻回胴部及びラダーコードの組み付けに関して以下のような問題がある。
【０００５】
すなわち、巻回胴部を軸受けに支承した状態でラダーコードを巻回胴部に巻回する場合は、軸受け下部からラダーコードを通し、巻回胴部を介してラダーコード上端をループ状にする作業手順となるため、組立が困難であり、作業性が悪いという問題がある。特に、ヘッドボックス及び軸受けの前後寸法が小さい場合に、作業空間が狭く、組立が困難である。
【０００６】
また、ラダーコードを巻回胴部に巻回した状態で、軸受け下部から巻回胴部を挿入し、軸受けに支承させる場合は、軸受けに支承させるために、巻回胴部を一旦軸受けの上方まで引き上げなければならない。このため、ラダーコードは、巻回胴部が軸受けに支承された位置において必要な長さ分より長い、巻回胴部が上方まで引き上げられる分の長さが必要となるため、結果として組立後のヘッドボックスと最上段スラットの間の隙間が大きくなってしまうという問題がある。
【０００７】
本発明はかかる課題に鑑みなされたもので、組立時の作業性を向上させることができ、特に製品の前後寸法が小さくても、作業性を向上させることができるブラインド用ドラム装置を提供することをその目的とする。
【課題を解決するための手段】
【０００８】
前述した目的を達成するために、請求項１記載の発明は、上部支持部材内に回転可能に配設される回転軸の回転に連動して回転する回転ドラムと、上部支持部材に固定されるとともに回転ドラムを回転可能に支持するドラムケースと、を備え、回転ドラムの回転によって多数のスラットを上下方向に支持するラダーテープを傾動させてスラットの回転を行うブラインド用ドラム装置において、
ドラムケースは、同一形状の一対のケース部品が鉛直方向に延びる中央分割面を中心として反転して組み合わされることにより構成されており、各ケース部品には、回転ドラムの軸部を支持する軸受け部が形成され、該軸受け部には、相手方のケース部品の軸受け部に向って中央分割面から突出する支持部が形成されることを特徴とする。
【０００９】
請求項２記載の発明は、請求項１記載の発明において、各ケース部品の軸受け部には、相手方のケース部品の支持部を受け入れる凹部が形成されることを特徴とする。
【００１０】
請求項３記載の発明は、請求項１または２記載の発明において、各ケース部品には、中央分割面から突出し、相手方のケース部品の支持部を下方から支持する抱持部が形成されることを特徴とする。
【００１１】
請求項４記載の発明は、請求項３記載の発明において、支持部及び抱持部は互いの接触面の横断面が同一曲率の円弧形状をなすことを特徴とする。
【発明の効果】
【００１２】
本発明によれば、同一形状の一対のケース部品を鉛直方向に延びる中央分割面を中心として反転して組み合わせることによりドラムケースを構成するため、ドラムケースに回転ドラムを組み付ける際には、一対のケース部品のうち一方のケース部品にラダーテープと共に回転ドラムを正面から組み付け、その後、一方のケース部品の正面から他方のケース部品を組み合わせることにより、ドラムケースに回転ドラムを回転可能に支持させることができ、組立時の作業性が向上する。また、回転ドラムを軸受け部の正面から組み付けることができるため、ラダーテープを必要な長さのみに設定することができ、上部支持部材と最上段スラット間の隙間を小さな寸法とすることができる。
【００１３】
同一形状の一対のケース部品を反転して組み合わせることによってドラムケースが構成されるため、共通の部品が使用でき部品点数の削減となる。
【００１４】
支持部が中央分割面から突出しているため、ケース部品同士の境目となる中央分割面に回転ドラムの荷重が集中せずに、回転ドラムを安定的かつ円滑に回転させることができる。
【図面の簡単な説明】
【００１５】
【図１】本発明のドラム装置を適用したブラインドの部分破断正面図である。
【図２】図１のドラム装置近傍を示す拡大斜視図である。
【図３】スラットを支持するラダーテープが回転ドラムに巻回された状態のドラム装置の分解斜視図である。
【図４】図３のドラム装置が組み立てられた状態を示す斜視図である。
【図５】ドラム装置の側面図であり、（ａ）は分解された状態を示し、（ｂ）は組み立てられた状態を示す。
【図６】本発明のドラム装置を適用した別のブラインドを表す正面図である。
【発明を実施するための形態】
【００１６】
以下、図面に基づいて本発明の実施形態を説明する。
【００１７】
この実施形態では、ブラインド２０は、複層ガラス１０に内蔵されたものであり、図１に示すように、複層ガラス１０は、方形枠状に上下左右のスペーサ１４を連結し、このスペーサ１４の前後面を２枚のガラス板１２で挟んで構成され、ガラス板１２で挟まれた内部空間１６を画成しており、この内部空間１６内にブラインド２０が配設される。
【００１８】
ブラインド２０は、上枠（上部支持部材）２２ａ、下枠２２ｂ及び一対の縦枠２２ｃからなるフレーム２２と、上枠２２ａ内で水平方向に延び回転可能に配設された回転軸２４と、回転軸２４上に複数設けられ、回転軸２４の回転が伝達されるドラム装置８０と、多数のスラット２６を上下方向に整列状態で支持するとともに回転軸２４の回転がドラム装置８０を介して伝達されることにより傾動する複数のラダーテープ２８と、一方の縦枠２２ｃの上部に設けられ回転軸２４に回転を伝達する駆動機構６０と、外部から駆動機構６０の駆動を操作可能な操作装置３０と、から構成される。尚、２９は、スラット列２６の下方に配置されてラダーテープ２８の下端が連結されたボトムレールである。
【００１９】
上部支持部材となる上枠２２ａは、図２に示すように、後側部品２２ａ１と前側部品２２ａ２の前後に分かれた２つの部品から構成される。
【００２０】
操作装置３０は、一方の縦枠２２ｃの内外に設けられており、一方の縦枠２２ｃ上のガラス板１２面上に移動可能に配設された操作部３２と、一方の縦枠２２ｃ内にあって操作部３２に従動する従動部３４と、駆動機構６０に連結され従動部３４の移動を回転に変換して駆動機構６０に伝達する伝達軸３６と、操作部３２をガラス面１２上で摺動自在に支持するガイド部３８と、から構成される。
【００２１】
ガラス板１２上の操作部３２を操作して、ガイド部３８に沿って上下方向に移動させることにより、操作部３２に磁力によって吸着している従動部３４が上下方向に移動し、伝達軸３６が回転駆動する。伝達軸３６の回転は、駆動機構６０を介して、回転軸２４に伝達される。
【００２２】
図２〜図５に示すように、ドラム装置８０は、回転軸２４が一体に回転可能に挿通する回転ドラム８２と、上枠２２ａに固定されるとともに回転ドラム８２を回転可能に支持するドラムケース８４により構成される。
【００２３】
回転ドラム８２は、ドラム部８２ａと、ドラム部８２ａの両端から側方に突出する一対の軸部８２ｂとから成り、ドラム部８２ａと両軸部８２ｂの軸心にはこれらを貫通する非円形断面を有する貫通孔８２ｃが形成されている。貫通孔８２ｃには貫通孔８２ｃに合致する非円形断面を有する回転軸２４が相対回転不能に挿通する。図３に示すように、ドラム部８２ａにはラダーテープ２８が巻回されて、ラダーテープ２８の前後の垂直テープのうち、一方の垂直テープ２８ａがドラム部に巻回された後、所定量垂下された位置において、他方の垂直テープ２８ｂとファスナークリップ９０によって連結され、ラダーテープ２８の前後の垂直テープ２８ａ、２８ｂはループを形成している。
【００２４】
ドラムケース８４は、例えばプラスチックの成形品からなり同一形状の一対のケース部品８６、８８が組み合わされて構成される。一対のケース部品８６、８８を、ドラムケース８４の鉛直方向に延びる中央分割面を中心として、反転して組み合わせて、中央分割面に位置する両側部８６ａ、８８ａの対向当接面８６ｊ、８８ｊ同士を互いに対向させて当接させると、その内部に回転ドラム８２のドラム部８２ａを収納する空間が画成される。
【００２５】
また、一対のケース部品８６、８８を互いに組み合わせた状態において、各ケース部品８６、８８の側部８６ａ、８８ａに形成される一対の軸受け部８６ｂ、８８ｂが円筒部を形成して、回転ドラム８２の一対の軸部８２ｂを回転可能に支承するようになっている。この円筒部は、各ケース部品８６、８８の本体の側部８６ａ、８８ａの外側面から側方に若干突出した位置まで水平方向に延びている。
【００２６】
各ケース部品８６、８８の一対の軸受け部８６ｂ、８８ｂのうち一方の軸受け部８６ｂ、８８ｂの下部には、中央分割面よりも相手方のケース部品８８、８６方向に突出し、相手方のケース部品８８、８６の軸受け部８８ｂ、８６ｂに嵌合する支持部８６ｃ、８８ｃが形成されている。支持部８６ｃ、８８ｃは、側部８６ａ、８８ａの外側面よりも側方に突出した軸受け部８６ｂ、８８ｂ部分のみに形成されている。
【００２７】
この支持部８６ｃ、８８ｃに対応して、各ケース部品８６、８８の一対の軸受け部８６ｂ、８８ｂのうち他方の軸受け部８６ｂ、８８ｂの下部には、相手方のケース部品の前記支持部８８ｃ、８６ｃを受け入れる凹部８６ｄ、８８ｄ（尚、ケース部品８８の凹部８８ｄは図中に表わされていない）が形成されている。凹部８６ｄ、８８ｄも、側部８６ａ、８８ａより側方に突出した軸受け部８６ｂ、８８ｂの部分のみに形成されている。
【００２８】
さらに、各ケース部品８６、８８の凹部８６ｄ、８８ｄの下方には、中央分割面から相手方のケース部品８６、８８方向に突出する下部抱持部８６ｅ、８８ｅが延設されており、下部抱持部８６ｅ、８８ｅは、相手方のケース部品８８、８６の支持部８８ｃ、８６ｃを下方から支持するようになっており、一対のケース部品８６、８８を組み合わせた状態で各ケースがそれぞれ離間する方向へ移動することを規制している。
【００２９】
そのため、互いに接触面となる支持部８６ｃ、８８ｃの下面及び下部抱持部８８ｅ、８６ｅの上面は、その横断面が同一曲率の円弧形状となっている。
【００３０】
また、各ケース部品８６、８８の一対の軸受け部８６ｂ、８８ｂの上部は中央分割面と同一面となっているが、好ましくは支持部８６ｃ、８８ｃが形成されていない方の軸受け部８６ｂ、８８ｂには、中央分割面よりも相手方のケース部品８８、８６方向に突出し、相手方の軸受け部８８ｂ、８６ｂを上方から支持する上部抱持部８６ｋ、８８ｋが延設されており、一対のケース部品８６、８８を組み合わせた状態で各ケースがぞれぞれ離間する方向へ移動することを規制している。
【００３１】
そのため、互いに接触面となる支持部８６ｃ、８８ｃが形成されている方の軸受け部８６ｂ、８８ｂの上面と上部抱持部８８ｋ、８６ｋの下面は、その横断面が同一曲率の円弧形状となっている。
【００３２】
一対のケース部品８６、８８の対向当接面８６ｊ、８８ｊの上部には、中央分割面よりも突出する嵌合突部８６ｆ、８８ｆと中央分割面よりも凹んだ嵌合凹部８６ｇ、８８ｇが横方向に並んで設けられており、一対のケース部品８６、８８を組み合わせた状態で、ケース部品８６の嵌合突部８６ｆがケース部品８８の嵌合凹部８８ｇに、ケース部品８６の嵌合凹部８６ｇがケース部品８８の嵌合突部８８ｆにそれぞれ嵌合する。
【００３３】
また、一対のケース部品８６、８８の両側部８６ａ、８８ａの対向当接面８６ｊ、８８ｊの下部には、中央分割面よりも突出する嵌合突部８６ｈ、８８ｈと中央分割面よりも凹んだ嵌合凹部８６ｉ、８８ｉ（なお、ケース部品８８の嵌合凹部８８ｉは図中に表わされていない）がそれぞれ設けられており、一対のケース部品８６、８８を組み合わせた状態で、ケース部品８６の嵌合突部８６ｈがケース部品８８の嵌合凹部８８ｉに、またケース部品８６の嵌合凹部８６ｉがケース部品８８の嵌合突部８８ｈにそれぞれ嵌合する。
【００３４】
このように、一対のケース部品８６、８８を組み合わせた状態で、嵌合突部８６ｆ、８８ｆと嵌合凹部８８ｇ、８６ｇがそれぞれ嵌合し、嵌合突部８６ｈ、８８ｈと嵌合凹部８８ｉ、８６ｉがそれぞれ嵌合するため、一対のケース部品８６、８８は互いに外れることが規制されている。
【００３５】
また、一対のケース部品８６、８８の下端部には係止部８６ｍ、８８ｍが形成されており、一対のケース部品８６、８８を上枠２２ａの前後方向にスライドさせることにより、係止部８６ｍ、８８ｍを上枠２２ａの下面に形成された開口２２ｄ(図２参照)に係止可能である。
【００３６】
次に、ドラム装置８０の組立手順について説明する。
【００３７】
まず、図３に示すように、スラット２６を支持させたラダーテープ２８の前側の垂直テープ２８ａの上部を回転ドラム８２のドラム部８２ａに巻回して、所定量垂下した位置においてラダーテープ２８の後側の垂直テープ２８ｂの上部とファスナークリップ９０によって連結する。ここで所定量とは、スラット２６が全閉まで回転するために回転ドラム２８が回転してラダーテープ２８の前後の垂直テープが巻取りあるいは巻解かれたときに、ファスナークリップ９０が回転ドラム２８と干渉しないために必要な長さのことである。
【００３８】
そして、ラダーテープ２８を巻回した回転ドラム８２の両軸部８２ｂを、図５（ａ）に示すように、一方のケース部品８６の軸受け部８６ｂに正面から支持させる。このとき、一方の軸部８２ｂがケース部品８６の中央分割面となる対向当接面８６ｊより突出した支持部８６ｃに支持されるため、回転ドラム８２を一方のケース部品８６に容易に脱落することがない仮止めされた状態で支持させることができる。
【００３９】
次に、図４及び図５（ｂ）に示すように、他方のケース部品８８を一方のケース部品８６に正面から組み合わせる。これにより、互いの支持部８６ｃ、８８ｃが相手方のケース部品８８、８６の凹部８８ｄ、８６ｄに挿入されるとともに、下部抱持部８８ｅ、８６ｅにより下方から支持される。また、軸受け部８６ｂ、８８ｂは上部抱持部８８ｋ、８６ｋにより上方から支持される。さらに、嵌合突部８６ｆ、８８ｆと嵌合凹部８８ｇ、８６ｇとがそれぞれ嵌合し、嵌合突部８６ｈ、８８ｈと嵌合凹部８８ｉ、８６ｉとがそれぞれ嵌合することにより、一対のケース部品８６、８８が互いに外れることが規制されて組み付けられる。
【００４０】
さらに、上枠２２ａが後側部品２２ａ１と前側部品２２ａ２に分解された状態で、一方のケース部品８６の係止部８６ｍ及び他方のケース部品８８の係止部８８ｍを上枠２２ａの後側部品２２ａ１に形成された開口２２ｄに正面からスライド挿入して係止し、ケース部品８６、８８を上枠２２ａの後側部品２２ａ１に固定する。
【００４１】
この後、回転ドラム８２の貫通孔８２ｃに回転軸２４を挿通させる。これにより回転ドラム８２は回転軸２４の回転と一体に回転するように構成される。そして、上枠２２ａの前側部品２２ａ２を後側部品２２ａ１に対してスライドさせて取り付けて、開口２２ｄの開口端を閉鎖する。
【００４２】
こうして、ドラム装置８０は上枠２２ａに組立てられる。この組立作業は、上枠２２ａの正面から行うことができるので、作業性が良く、上枠２２ａの前後寸法が小さい場合であっても、作業を簡単に行うことができる。また、ラダーテープ２８を巻回した回転ドラム８２を正面からドラムケース８４に組み付けることができるため、ラダーテープ２８を必要な長さのみに設定することができ、上枠２２ａと最上段スラット間の隙間を小さな寸法とすることができる。
【００４３】
また、同一形状の一対のケース部品８６、８８を組み合わせることによりドラムケース８４を構成するために、部品点数を削減することができる。
【００４４】
また、一対のケース部品８６、８８のそれぞれの支持部８６ｃ、８８ｃが中央分割面よりも突出することによって、組立時に回転ドラム８２を仮止めをすることができると共に、組み合わせ後は、ケース部品８６、８８同士の境目となる中央分割面に回転ドラム８２の荷重を集中させずに、回転ドラム８２を安定的かつ円滑に回転させることができる。
【００４５】
さらに、下部抱持部８６ｅ、８８ｅが支持部８８ｃ、８６ｃを下方から支持することで、軸受け部８６ｂ、８８ｂの下側が中央分割面において二重に支持されているために、ドラムケース８４の強度を確保することができる。
【００４６】
支持部８６ｃ、８８ｃと下部抱持部８８ｅ、８６ｅとが円弧状に重なり合うことによって、ケース部品８６、８８同士を引き寄せる効果を持たせることができ、回転ドラム８２の回転時にケース部品８６、８８同士が離間してしまうことを防止することができる。同様に、軸受け部８６ｂ、８８ｂと上部抱持部８８ｋ、８６ｋとが円弧状に重なり合うことによって、ケース部品８６、８８同士を引き寄せる効果を持たせることができ、回転ドラム８２の回転時にケース部品８６，８８同士が離間してしまうことを防止することができる。
【００４７】
このように構成されたドラム装置８０を用いてスラット２６を回転させる場合、操作部３２をガイド部３８に沿って移動させることにより、上述のように回転軸２４に回転が伝達され、回転軸２４と一体にドラム部８２ａが回転する。ドラム部８２ａが回転することによりラダーテープ２８の垂直テープ２８ａ、２８ｂの一方が巻き取られ、他方が巻き解かれることによりラダーテープ２８が傾動し、スラット２６が回転することができる。
【００４８】
尚、以上の実施形態では、上枠２２ａの前後寸法を小さくすることが要求されるブラインド内蔵複層ガラスにおいて適用しており、このような場合に、本発明は特に好適であるが、これに限るものではない。例えば、図６に示すように、ドラム装置８０を複層ガラス１０に内蔵したブラインド２０ではなく、通常の横型ブラインドに適用することもできる。ドラム装置８０はヘッドボックス（上部支持部材）１００に取付けられる。また、ドラム装置８０の回転ドラム８２を回転駆動する回転軸２４はヘッドボックス１００の一端部から垂下する回転操作棒１０２により回転駆動され、スラット２６はヘッドボックス１００の一端部から垂下する昇降コード１０４によって昇降される。
【００４９】
本発明によれば、このような通常の横型ブラインドにおいても、同様に組立時の作業性を向上させることができる。
【符号の説明】
【００５０】
２２ａ  上枠（上部支持部材）
２４  回転軸
２６  スラット
２８  ラダーテープ
８２  回転ドラム
８２ｂ  軸部
８４  ドラムケース
８６、８８  ケース部品
８６ｂ、８８ｂ  軸受け部
８６ｃ、８８ｃ  支持部
８６ｄ、８８ｄ  凹部
８６ｅ、８８ｅ  抱持部
１００  ヘッドボックス（上部支持部材）
【図１】
2014029087.tif 000003
【図２】
2014029087.tif 000004
【図３】
2014029087.tif 000005
【図４】
2014029087.tif 000006
【図５】
2014029087.tif 000007
【図６】
2014029087.tif 000008